(57)【要約】【課題】信号伝達用のケーブルを接続して信号伝達に加えて駆動用電力が供給されている場合に、携帯端末装置に対する充電装置からの電力供給を遮断すること。【解決手段】携帯端末装置２が装着されたときに該携帯端末装置２の二次電池に充電を行う充電装置１であって、前記携帯端末装置２に信号伝達用のプラグ４２を接続して該携帯端末装置２が装着されたときに前記二次電池への電流供給経路を遮断する切換手段１０を設けてなることを特徴とする。また、前記携帯端末装置２の充電用の充電端子７に接続自在な給電端子３３を備え、前記切換手段は、前記プラグ４２を接続して前記携帯端末装置２が装着されたときに前記プラグ４２に接触して変位する作動子１１と、この作動子に連動して前記充電端子７に対する前記給電端子３３の接続を解く分離機構１０であることを特徴とする。【選択図】    図１
2004297878.tif 000002
【特許請求の範囲】
【請求項１】
携帯端末装置が装着されたときに該携帯端末装置の二次電池に充電を行う充電装置であって、
前記携帯端末装置に信号伝達用のプラグを接続して該携帯端末装置が装着されたときに前記二次電池への電流供給経路を遮断する切換手段を設けてなる充電装置。
【請求項２】
請求項１記載の充電装置において、
前記携帯端末装置の充電用の充電端子に接続自在な給電端子を備え、前記切換手段は、前記プラグを接続して前記携帯端末装置が装着されたときに前記プラグに接触して変位する作動子と、この作動子に連動して前記充電端子に対する前記給電端子の接続を解く分離機構である充電装置。
【請求項３】
請求項１記載の充電装置において、
給電プラグが接続されることにより、外部からの電力供給を受けるコンセントを備えてなり、
前記切換手段は前記プラグが接続された状態で前記携帯端末が接続されたときに、前記プラグに接触して変位することにより前記コンセントから前記給電プラグを離脱させる離脱機構である充電装置。
【発明の詳細な説明】
【０００１】
【発明の属する技術分野】
この発明は、携帯端末装置に充電を行う充電装置に係り、特に携帯端末装置に信号伝達用のプラグを接続して装着した場合に充電経路を遮断するようにした充電装置に関する。
【０００２】
【従来の技術】
周知のように、携帯端末装置は、一定時間使用して電力を消耗した場合、充電装置を用いて、二次電池に電力を充電して使用している。
一般に、充電は、携帯端末装置が充電装置に装着されることにより、充電装置の給電端子が携帯端末装置の充電端子に接触し、給電端子から携帯端末装置内部の二次電池に電力を供給して充電するようになっている。
携帯端末装置のうち、携帯電話機の充電装置では、電力供給に関連する技術として、携帯電話機の着脱状態に対応して、携帯電話機内部の充電回路の導通、開放を切換管理するものがある。（例えば、特許文献１参照）
【０００３】
【特許文献１】
特開平８−２０５４１３号公報（第３頁、第４図）
【０００４】
【発明が解決しようとする課題】
ところで、近年、携帯端末装置には、パーソナルコンピュータと信号伝達用のケーブルを介して情報の交換や伝達が行うようになっているものが多くなっている。
このような携帯端末装置においては、その外面に信号伝達用のコンセントを設けて、信号伝達用のケーブルが接続自在とされている。また、信号伝達用のケーブルのなかには、信号の通信に加えて駆動用電力を供給するものがある。
このような携帯端末装置においては、信号伝達用のケーブルを接続したまま携帯端末装置を充電装置に装着すると、信号伝達用のケーブルと充電装置の給電端子の双方から給電されるために電気的に干渉し、そのままでは異常電流が流れる等の不都合が生じる問題がある。
【０００５】
この問題を解決するためには、上記双方から給電される電流を切換管理することが考えられるが、この種の切換管理手段としては、上記特許文献１に記載された技術等が提供されているに過ぎず、この技術では、上記問題を解決できない。この発明はこのような事情を考慮してなされたもので、信号伝達用のケーブルを接続して信号伝達に加えて駆動用電力が供給されている場合に、携帯端末装置が充電装置に装着されるのを防止し、充電装置からの電流供給を遮断することによって電気的な干渉が生じるのを防止するということにある。
【０００６】
【課題を解決するための手段】
上記目的を達成するために、この発明は以下の手段を提案している。
請求項１記載の発明は、携帯端末装置が装着されたときに該携帯端末装置の二次電池に充電を行う充電装置であって、前記携帯端末装置に信号伝達用のプラグを接続して該携帯端末装置が装着されたときに前記二次電池への電流供給経路を遮断する切換手段を設けることを特徴とする。
【０００７】
この発明に係る充電装置によれば、信号伝達用のプラグを携帯端末装置に接続した状態で充電装置に装着した場合に、充電装置の切換手段によって、充電装置から携帯端末装置への電力供給が遮断される。
【０００８】
請求項２の発明は請求項１記載の充電装置において、前記携帯端末装置の充電用の充電端子に接続自在な給電端子を備え、前記切換手段が、前記プラグを接続して前記携帯端末装置が装着されたときに前記プラグに接触して変位する作動子と、この作動子に連動して前記充電端子に対する前記給電端子の接続を解く分離機構であることを特徴とする。
【０００９】
この発明に係る充電装置によれば、信号伝達用のプラグを携帯端末装置に接続した状態で充電装置に装着した場合に、作動子が動作し、前記充電端子と前記給電端子を分離させることによって、充電装置の電力供給が遮断される。
【００１０】
請求項３の発明は、請求項１記載の充電装置において、給電プラグが接続されることにより、外部からの電力供給を受けるコンセントを備えてなり、切換手段は前記プラグが接続された状態で前記携帯端末が接続されたときに、離脱機構が前記プラグに接触して変位することにより給電用コンセントから前記給電プラグを離脱させる離脱機構であることを特徴とする。
【００１１】
この発明に係る充電装置によれば、信号伝達用のプラグを携帯端末装置に接続した状態で充電装置に装着した場合に、前記プラグに接触して離脱機構が動作し、前記給電用コンセントから前記給電プラグを離脱させることにより電力供給が遮断される。
【００１２】
その結果、請求項１から請求項３の発明は、信号伝達用のケーブルから電力を給電している携帯端末装置において、充電装置から携帯端末装置への電力供給を遮断し、信号伝達用のプラグと給電端子の双方から電流が流れて電気的な干渉が発生するのを防止することができる。
【００１３】
【発明の実施の形態】
以下、図面を参照し、この発明の実施の形態について説明する。ここで説明する実施形態は、この発明を携帯電話機の充電装置に適用した場合の例である。
図１、図２は、この発明の第１の実施の形態を示す図であり、これらの図において、符号１は充電装置、符号２は携帯電話機を示している。
充電装置１は、ケース４、充電用基板ユニット３０、分離機構たる電力遮断用のレバー１０を備えており、充電用基板ユニット３０は、基板３１とこの基板３１上に設けられた給電スイッチ３２および給電端子３３により構成されている。
【００１４】
また、充電装置１には、前側面に給電用コンセント９が設けられており、このコンセント９には、給電プラグ８が接続されるようになっている。そして、給電プラグ８が接続されると、外部電源からコンセント９を通じて、電力が充電用基板ユニット３０に供給されるようになっている。
ケース４には、開口部５１、５２、５３が設けられており、開口部５３には基板３１に配置された給電端子３３の上端部が位置している。
この場合、給電端子３３の上端部は、ケース４の上面より、僅か上方に突出して位置している。
【００１５】
また、ケース４の内部には、信号伝達用のプラグ４２に接触して、電力回路を遮断するためのレバー１０が配置されている。レバー１０は、信号伝達用のプラグ４２に接触可能な充電装置の前側端作動子１１（作動子）と、携帯電話機２の押し上げまたは給電スイッチ３２を押下する側の給電スイッチ側作動子１２と、これら前側端作動子１１、給電スイッチ側作動子１２端部を連結する桿部１０ａとからなり、桿部１０ａの中間部が軸１３により回動自在に支持されている。
信号伝達用のプラグ４２は、コンピュータにケーブル４４を介して接続されており、携帯電話機２とのやりとりで情報交換を行い、さらにコンピュータから携帯機へと動力を供給している。
また、図示しないが、レバー１０は常態において、コイルバネまたは板バネ等の弾性体等によって付勢されており、レバー１０に外力が加えられていない状態では、レバー１０の一方の端部である前側端作動子１１は開口部５１から、もう一方の端部である給電スイッチ側作動子１２は開口部５２から、それぞれ所定の長さだけ突出するようになっている。
【００１６】
携帯電話機２は、操作キー（図示せず）を配置した第１の筐体５と、表示部（図示せず）を配置した第２の筐体６とを、ヒンジ部３５を中心として折畳み自在に連結して構成されたものであり、筐体５の背面には充電用の充電端子７が設けられている。また、筐体５の前側端部には、信号伝達用のコンセント４１が設けられている。
次に、上記の構成において、給電スイッチ３２は、その開閉によって、給電端子３３へ供給される充電電流の供給、遮断をなすものである。
上記の構成からなる充電装置１の作用について説明する。
携帯電話機２は、通常の使用状態においては、信号伝達用のコンセント４１から信号伝達用のプラグ４２を外して使用する。
【００１７】
携帯電話機２の二次電池に充電を行う場合には、携帯電話機２を充電装置１に装着する。
そうすると、携帯電話機２がレバー１０の給電スイッチ側作動子１２を押下することにより給電スイッチ３２が押下される。また、携帯電話機２が充電装置１の所定の位置に装着されることによって、携帯電話機２の第１の筐体５に設けられた充電端子７が給電端子３３に接触するとともに、押下された給電スイッチ３２が通電状態となり、携帯電話機２に電力が供給されて充電状態となる。
このようにして、充電装置１から携帯電話機２に充電電流の供給が行われ、携帯電話機２の二次電池の充電が行われる。
【００１８】
次に、携帯電話機２をコンピュータと接続して情報交換を行う場合には、携帯電話機２のコンセント４１にプラグ４２を接続する。
この場合、信号伝達用のケーブル４４とコンセント４１を介してコンピュータから携帯電話機２に駆動用電力が供給される。ここで、信号伝達用のプラグ４２が接続された状態で充電装置１に装着した場合には、図１に示すように信号伝達用のプラグ４２がレバー１０の前側端作動子１１を押下することになる。
【００１９】
そして、前側端部１１が押下されると、レバー１０が軸１３を中心に回動してもう一方の端部である給電スイッチ側作動子１２を押し上げる。そうすると、給電スイッチ３２の遮断状態が維持され、さらに充電装置１の給電端子３３から携帯電話機２の充電端子７が離間する。給電が遮断され、かつ充電端子７と給電端子３３が離間する。
この際、給電スイッチ側作動子１２がケース４の上に突出しているが、この状態で携帯電話機２を充電装置１に装着した場合には、第１の筐体５の下面が給電スイッチ側作動子１２に当接して、下限位置が規制され、充電端子７と給電端子３３が離間した状態となる。したがって、異常電流等の生成されるのを防止して、機器の損傷を防ぐことができる。
【００２０】
図３は第２の実施形態を示したものである。
この図３において、上述した図１、図２に示す構成要素と同一の構成要素には、同一の符号を付し、その説明を省略する。
この実施の形態においては、ケース４内部に離脱機構２０が設けられており、この、離脱機構はレバー２２を主な要素とするものであって、給電プラグ８と協働して当該プラグ８を充電装置１から離脱させるものである。
レバー２２は、第１の作動子２１と第１の作動子２１から斜め下方に屈曲した第２の作動部２５とからなっている。第１の作動子２１の下端には肉厚部２１ａが設けられ、肉厚部２１ａの下端には傾斜面２３が形成されている。常態において、第１の作動子２１の上側先端は、図示しない付勢部材によって充電装置１の開口部５１から、常時、上方へ突出するように付勢されている。
また、給電プラグ８には、その先端上面に傾斜面２３に対応する傾斜面２４が形成されている。
【００２１】
この充電装置１においては、信号伝達用のケーブル４４のプラグ４２をコンセント４１に接続した状態で、携帯電話機２を充電装置１に装着すると、信号伝達用のプラグ４２が第１の作動子２１の上端部を押下し、作動子２１の下端の傾斜面２３がこの給電プラグ８の傾斜面２４を案内し、このプラグ８を矢印Ａ方向に移動させて、この給電プラグ８をコンセント９から離脱させる。
なお、上記の構成においては、第１の作動子２１を付勢部材、たとえばコイルスプリング等によって上方に付勢してもよいし、レバー２２を板バネで構成し、この付勢力によって上方に突出させるようにしてもよい。
【００２２】
また、給電プラグ８の離脱に関しては、給電プラグ８をコンセント９から完全に離脱させる必要はなく、給電プラグ８と給電用コンセント９を単に電気的に遮断させればよい。
さらに、図示はしないが、給電用のプラグ８を差込に際して、給電用のプラグ８でバネ等の弾性体を加圧して、所定の位置に来たときにラッチ等で固定し、作動子２１が押下されることで、ラッチを解除し、該弾性体によって給電プラグ８を排出させてもよい。
【００２３】
【発明の効果】
請求項１乃至３記載の発明によれば、携帯端末装置側に特別の機構や回路を設けることなく、信号伝達用のケーブルを接続した状態の携帯端末装置が、信号伝達用のケーブルと充電装置の双方から電力供給されて、異常電流が流れるという電気的な干渉を防止することができる。
また、携帯端末装置側に特別の機構や回路を設ける必要がなく構成が簡単なため、携帯端末装置と充電装置をセットとして考えると安価な製品を提供することが可能となる。
【図面の簡単な説明】
【図１】この発明の第１の実施形態の作動状態を示す縦断面図である。
【図２】この発明の第１の実施形態に係る充電装置の縦断面図である。
【図３】この発明の第２の実施形態の作動状態を示す縦断面図である。
【符号の説明】
１      充電装置
２      携帯端末装置
４      ケース
７      充電端子
８      給電プラグ
９      給電用コンセント
１０    分離機構
１１    前側端作動子（作動子）
１２    給電スイッチ側作動子
２０    離脱機構
２１    第１の作動部
３３    給電端子
４１    信号伝達用のコンセント
４２    信号伝達用のプラグ
【図１】
2004297878.tif 000003
【図２】
2004297878.tif 000004
【図３】
2004297878.tif 000005